【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
光学部材を有し、撮像装置に装着可能な交換レンズであって、
前記撮像装置と通信するための第１のレンズ端子及び第２のレンズ端子と、
前記光学部材の駆動を制御する駆動制御手段と、
前記撮像装置との通信を制御するレンズ制御手段とを有し、
前記レンズ制御手段は、第１の通信モードにおいて、前記第１のレンズ端子を介してクロック信号を受信し、当該クロック信号に基づいて前記第２のレンズ端子でデータ通信し、第２の通信モードにおいて、前記第１のレンズ端子を介して受信した所定の信号に基づいて前記駆動制御手段が前記光学部材を駆動するように制御し、当該所定の信号をクロック信号として用いずに前記第２のレンズ端子を介してデータ通信することを特徴とする交換レンズ。
【請求項２】
前記第２の通信モードにおいて、前記レンズ制御手段は、前記第２のレンズ端子を介して前記光学部材の駆動量についてのデータを受信した場合、当該駆動量を示す制御信号を前記駆動制御手段に出力することを特徴とする請求項１に記載の交換レンズ。
【請求項３】
前記第２の通信モードにおいて、前記駆動制御手段は、前記レンズ制御手段から前記制御信号を受信後、前記撮像装置からの前記所定の信号の受信に応じて、受信した前記制御信号に基づいて前記光学部材を駆動することを特徴とする請求項２に記載の交換レンズ。
【請求項４】
前記レンズ制御手段は、前記第２のモードにおいて、前記所定の信号を有効に設定し、前記第１のモードにおいて、前記所定の信号を無効に設定することを特徴とする請求項１乃至３のいずれか１項に記載の撮像装置。
【請求項５】
光学部材を有し、撮像装置に装着可能な交換レンズであって、
前記撮像装置と通信するための第１のレンズ端子及び第２のレンズ端子と、
前記光学部材の駆動を制御する駆動制御手段と、
前記撮像装置との通信を制御するレンズ制御手段とを有し、
前記レンズ制御手段は、第１の通信モードにおいて、前記第１のレンズ端子を介してクロック信号を受信し、当該クロック信号に基づいて前記第２のレンズ端子でデータ通信し、第２の通信モードにおいて、前記第２のレンズ端子を介して受信した所定の信号に基づいて前記駆動制御手段が前記光学部材を駆動するように制御し、クロック信号を用いずに前記第１のレンズ端子を介してデータ通信することを特徴とする交換レンズ。
【請求項６】
前記第２の通信モードにおいて、前記レンズ制御手段は、前記第１のレンズ端子を介して前記光学部材の駆動量についてのデータを受信した場合、当該駆動量を示す制御信号を前記駆動制御手段に出力することを特徴とする請求項５に記載の交換レンズ。
【請求項７】
前記第２の通信モードにおいて、前記駆動制御手段は、前記レンズ制御手段から前記制御信号を受信後、前記撮像装置からの前記所定の信号の受信に応じて、受信した前記制御信号に基づいて前記光学部材を駆動することを特徴とする請求項６に記載の交換レンズ。
【請求項８】
前記レンズ制御手段は、前記第２のモードにおいて、前記所定の信号を有効に設定し、前記第１のモードにおいて、前記所定の信号を無効に設定することを特徴とする請求項５乃至７のいずれか１項に記載の交換レンズ。
【請求項９】
前記光学部材は、絞り又はフォーカスレンズであることを特徴とする請求項１乃至８のいずれか１項に記載の交換レンズ。
【請求項１０】
前記交換レンズは、レンズマウント部を有し、
前記第２のレンズ端子は、前記レンズマウント部に設置されることを特徴とする請求項１乃至９のいずれか１項に記載の交換レンズ。
【請求項１１】
光学部材と、前記光学部材の駆動を制御する駆動制御手段とを備えた交換レンズを装着可能な撮像装置であって、
前記交換レンズと通信するための第１の端子及び第２の端子と、
前記交換レンズとの通信を制御する制御手段とを有し、
前記制御手段は、第１の通信モードにおいて、前記第１の端子を介してクロック信号を送信し、当該クロック信号に基づいて前記第２の端子を介してデータ通信し、第２の通信モードにおいて、前記第１の端子を介して前記駆動制御手段に前記光学部材の駆動を指示する所定の信号を送信し、当該所定の信号をクロック信号として用いずに前記第２の端子を介してデータ通信することを特徴とする撮像装置。
【請求項１２】
光学部材と、前記光学部材の駆動を制御する駆動制御手段とを備えた交換レンズを装着可能な撮像装置であって、
前記交換レンズと通信するための第１の端子及び第２の端子と、
前記交換レンズとの通信を制御する制御手段とを有し、
前記制御手段は、第１の通信モードにおいて、前記第１の端子を介してクロック信号を送信し、当該クロック信号に基づいて前記第２の端子を介してデータ通信し、第２の通信モードにおいて、前記第２の端子を介して前記駆動制御手段に前記光学部材の駆動を指示する所定の信号を送信し、クロック信号を用いずに前記第１の端子を介してデータ通信することを特徴とする撮像装置。
【請求項１３】
前記第２の通信モードにおいて、前記制御手段は、前記光学部材の駆動量についてのデータを前記データ通信で送信後、前記所定の信号を送信することを特徴とする請求項１１又は１２に記載の撮像装置。
【請求項１４】
前記光学部材は、絞り又はフォーカスレンズであることを特徴とする請求項１１乃至１３のいずれか１項に記載の撮像装置。
【請求項１５】
前記撮像装置は、マウント部を有し、
前記第２の端子は、前記マウント部に設置されることを特徴とする請求項１１乃至１４のいずれか１項に記載の撮像装置。
【請求項１６】
撮像装置に装着可能で、光学部材と、前記撮像装置と通信するための第１のレンズ端子及び第２のレンズ端子とを有する交換レンズの制御方法であって、
前記光学部材の駆動を制御するステップと、
前記撮像装置との通信を制御するステップとを有し、
第１の通信モードにおいて、前記第１のレンズ端子を介してクロック信号を受信し、当該クロック信号に基づいて前記第２のレンズ端子でデータ通信し、第２の通信モードにおいて、前記第１のレンズ端子を介して受信した所定の信号に基づいて前記光学部材を駆動するように制御し、当該所定の信号をクロック信号として用いずに前記第２のレンズ端子を介してデータ通信することを特徴とする交換レンズの制御方法。
【請求項１７】
撮像装置に装着可能で、光学部材と、前記撮像装置と通信するための第１のレンズ端子及び第２のレンズ端子とを有する交換レンズの制御方法であって、
前記光学部材の駆動を制御するステップと、
前記撮像装置との通信を制御するステップとを有し、
第１の通信モードにおいて、前記第１のレンズ端子を介してクロック信号を受信し、当該クロック信号に基づいて前記第２のレンズ端子でデータ通信し、第２の通信モードにおいて、前記第２のレンズ端子を介して受信した所定の信号に基づいて前記光学部材を駆動するように制御し、クロック信号を用いずに前記第１のレンズ端子を介してデータ通信することを特徴とする交換レンズの制御方法。
【請求項１８】
光学部材と、前記光学部材の駆動を制御する駆動制御手段とを備えた交換レンズを装着可能で、前記交換レンズと通信するための第１の端子及び第２の端子を有する撮像装置の制御方法であって、
前記交換レンズとの通信を制御するステップを有し、
第１の通信モードにおいて、前記第１の端子を介してクロック信号を送信し、当該クロック信号に基づいて前記第２の端子を介してデータ通信し、第２の通信モードにおいて、前記第１の端子を介して前記駆動制御手段に前記光学部材の駆動を指示する所定の信号を送信し、当該所定の信号をクロック信号として用いずに前記第２の端子を介してデータ通信することを特徴とする撮像装置の制御方法。
【請求項１９】
光学部材と、前記光学部材の駆動を制御する駆動制御手段とを備えた交換レンズを装着可能で、前記交換レンズと通信するための第１の端子及び第２の端子を有する撮像装置の制御方法であって、
前記交換レンズとの通信を制御するステップを有し、
第１の通信モードにおいて、前記第１の端子を介してクロック信号を送信し、当該クロック信号に基づいて前記第２の端子を介してデータ通信し、第２の通信モードにおいて、前記第２の端子を介して前記駆動制御手段に前記光学部材の駆動を指示する所定の信号を送信し、クロック信号を用いずに前記第１の端子を介してデータ通信することを特徴とする撮像装置の制御方法。
【手続補正２】
【補正対象書類名】明細書
【補正対象項目名】発明の名称
【補正方法】変更
【補正の内容】
【発明の名称】交換レンズ及びその制御方法、撮像装置及びその制御方法
【手続補正３】
【補正対象書類名】明細書
【補正対象項目名】０００６
【補正方法】変更
【補正の内容】
【０００６】
上記目的を達成するために、本発明に係る交換レンズは、光学部材を有し、撮像装置に装着可能な交換レンズであって、前記撮像装置と通信するための第１のレンズ端子及び第２のレンズ端子と、前記光学部材の駆動を制御する駆動制御手段と、前記撮像装置との通信を制御するレンズ制御手段とを有し、前記レンズ制御手段は、第１の通信モードにおいて、前記第１のレンズ端子を介してクロック信号を受信し、当該クロック信号に基づいて前記第２のレンズ端子でデータ通信し、第２の通信モードにおいて、前記第１のレンズ端子を介して受信した所定の信号に基づいて前記駆動制御手段が前記光学部材を駆動するように制御し、当該所定の信号をクロック信号として用いずに前記第２のレンズ端子を介してデータ通信することを特徴とする。
また、本発明に係る交換レンズは、光学部材を有し、撮像装置に装着可能な交換レンズであって、前記撮像装置と通信するための第１のレンズ端子及び第２のレンズ端子と、前記光学部材の駆動を制御する駆動制御手段と、前記撮像装置との通信を制御するレンズ制御手段とを有し、前記レンズ制御手段は、第１の通信モードにおいて、前記第１のレンズ端子を介してクロック信号を受信し、当該クロック信号に基づいて前記第２のレンズ端子でデータ通信し、第２の通信モードにおいて、前記第２のレンズ端子を介して受信した所定の信号に基づいて前記駆動制御手段が前記光学部材を駆動するように制御し、クロック信号を用いずに前記第１のレンズ端子を介してデータ通信することを特徴とする。
【手続補正４】
【補正対象書類名】明細書
【補正対象項目名】０００７
【補正方法】変更
【補正の内容】
【０００７】
また、本発明に係る撮像装置は、光学部材と、前記光学部材の駆動を制御する駆動制御手段とを備えた交換レンズを装着可能な撮像装置であって、前記交換レンズと通信するための第１の端子及び第２の端子と、前記交換レンズとの通信を制御する制御手段とを有し、前記制御手段は、第１の通信モードにおいて、前記第１の端子を介してクロック信号を送信し、当該クロック信号に基づいて前記第２の端子を介してデータ通信し、第２の通信モードにおいて、前記第１の端子を介して前記駆動制御手段に前記光学部材の駆動を指示する所定の信号を送信し、当該所定の信号をクロック信号として用いずに前記第２の端子を介してデータ通信することを特徴とする。
また、本発明に係る撮像装置は、光学部材と、前記光学部材の駆動を制御する駆動制御手段とを備えた交換レンズを装着可能な撮像装置であって、前記交換レンズと通信するための第１の端子及び第２の端子と、前記交換レンズとの通信を制御する制御手段とを有し、
前記制御手段は、第１の通信モードにおいて、前記第１の端子を介してクロック信号を送信し、当該クロック信号に基づいて前記第２の端子を介してデータ通信し、第２の通信モードにおいて、前記第２の端子を介して前記駆動制御手段に前記光学部材の駆動を指示する所定の信号を送信し、クロック信号を用いずに前記第１の端子を介してデータ通信することを特徴とする。